(57)【要約】【課題】発射から煙幕展張による遮蔽開始までに要する時間を短縮する。【解決手段】発煙弾１において、上側のケーシング２内の発煙剤体１７，１７・・を、ケーシング２の軸線回りの環状空間を周方向に４分割する形状として多層状に配置し、発煙剤体１７，１７・・の内側に、発射された各発煙剤体１７に発射方向と交差する方向への分散力を付与可能な第一、第二ねじりバネ２４，２５を規制板２９によって圧縮状態で設けて、発煙剤体１７を、ケーシング２からの発射直後に圧縮規制が解除された第一、第二ねじりバネ２４，２５の復元力によって放射方向へ分散させるようにした。【選択図】図１
2007205587.tif 000002
【特許請求の範囲】
【請求項１】
底壁を有する筒状のケーシングと、そのケーシングの底壁に連設され、発射薬を有する発射体と、前記ケーシングの上部へ離脱可能に装着された上蓋と、前記ケーシングに内蔵された発煙剤体と、を備え、前記発射薬に点火することで、着火されて前記ケーシングから発射された前記発煙剤体が発煙しながら飛行して煙幕を展張可能とした発煙弾であって、
前記発煙剤体を、前記ケーシングの軸線回りの環状空間を周方向に分割する形状として層状に配置し、前記発煙剤体における前記ケーシングの軸心側に、発射された前記発煙剤体に発射方向と交差する方向への分散力を付与可能な分散手段を設けたことを特徴とする発煙弾。
【請求項２】
発煙剤体は、ケーシング軸線回りの環状空間を３つ以上に均等分割して多層状に配置される板状体である請求項１に記載の発煙弾。
【請求項３】
分散手段は、ケーシングの軸心に配置され、復元力によって外側の発煙剤体に分散力を付与可能なバネ部材と、そのバネ部材を前記ケーシング内でのみ圧縮状態に規制する規制部材とからなる請求項１又は２に記載の発煙弾。
【請求項４】
バネ部材は、屈曲位置にねじり部を夫々設けたＭ字状又はＷ字状のねじりバネとして、ケーシングの軸心に一対の前記ねじりバネを前記ケーシングの軸線方向から見て十字状となるように配設した請求項３に記載の発煙弾。
【請求項５】
規制部材は、上下の発煙剤体の間でケーシング軸線回りの環状空間を周方向に分割する形状で形成され、外周縁が前記ケーシングの内面側に当接する規制板であり、各規制板における前記ケーシング軸心側に、圧縮状態のバネ部材の端部を係止する係止部を形成した請求項３又は４に記載の発煙弾。
【請求項６】
分散手段の外側に位置する発煙剤体の発煙剤を速燃薬とした請求項１乃至５の何れかに記載の発煙弾。
【発明の詳細な説明】
【技術分野】
【０００１】
本発明は、戦闘訓練等の際に用いられる発煙弾に関する。
【背景技術】
【０００２】
発煙弾は、底壁を有し、上部に離脱可能な上蓋を装着した筒状のケーシングと、そのケーシングの底壁に連設され、発射薬を設けた発射体と、ケーシングに内蔵され、例えば特許文献１に示すように発熱剤と酸化亜鉛等の組成物からなる発煙剤体とを備え、戦車等の戦闘車両に搭載された発射装置に装填される。発射装置が発射薬に点火すると、発煙剤体に着火されてケーシングから発射され、発煙剤体が発煙しながら飛行して煙幕を形成するものとなる（特許文献２，３参照）。
【０００３】
【特許文献１】特開２０００−２６４７６９号公報
【特許文献２】特開２００４−２２５９２５号公報
【特許文献３】特公平４−４７２３９号公報
【発明の開示】
【発明が解決しようとする課題】
【０００４】
上記従来の発煙弾にあっては、発煙剤体がケーシングの軸線方向で発射されることから、発煙剤体を広範囲で分散させるためには発射距離を比較的長く確保する必要があった。よって、発射と同時に発煙剤体に着火させても煙幕展張による遮蔽開始までに数秒の時間がかかるものとなっていた。
【０００５】
そこで、本発明は、煙幕展張までの発射距離を長くすることなく、発射から煙幕展張による遮蔽開始までに要する時間を大幅に短縮させることができる発煙弾を提供することを目的としたものである。
【課題を解決するための手段】
【０００６】
上記目的を達成するために、請求項１に記載の発明は、発煙剤体を、ケーシングの軸線回りの環状空間を周方向に分割する形状として層状に配置し、発煙剤体におけるケーシングの軸心側に、発射された発煙剤体に発射方向と交差する方向への分散力を付与可能な分散手段を設けたことを特徴とするものである。
請求項２に記載の発明は、請求項１の目的に加えて、分散手段による効果的な分散が期待できる発煙剤体を得るために、発煙剤体を、ケーシング軸線回りの環状空間を３つ以上に均等分割して多層状に配置される板状体としたものである。
請求項３に記載の発明は、請求項１又は２の目的に加えて、分散手段を簡単な構成で得るために、分散手段を、ケーシングの軸心に配置され、復元力によって外側の発煙剤体に分散力を付与可能なバネ部材と、そのバネ部材をケーシング内でのみ圧縮状態に規制する規制部材とからなる構成としたものである。
【０００７】
請求項４に記載の発明は、請求項３の目的に加えて、分散力が各発煙剤体へ万遍なく伝わるバネ部材とするために、バネ部材を、屈曲位置にねじり部を夫々設けたＭ字状又はＷ字状のねじりバネとして、ケーシングの軸心に一対のねじりバネをケーシングの軸線方向から見て十字状となるように配設したものである。
請求項５に記載の発明は、請求項３又は４の目的に加えて、ケーシング内でのバネ部材の圧縮状態の規制と発射直後の規制解除とを確実に行える規制部材を得るために、規制部材を、上下の発煙剤体の間でケーシング軸線回りの環状空間を周方向に分割する形状で形成され、外周縁がケーシングの内面側に当接する規制板とし、各規制板におけるケーシング軸心側に、圧縮状態のバネ部材の端部を係止する係止部を形成した構成としたものである。
請求項６に記載の発明は、請求項１乃至５の何れかの目的に加えて、発射直後に分散する発煙剤体に合わせてその発煙を迅速に行うために、分散手段の外側に位置する発煙剤体の発煙剤を速燃薬としたものである。
【発明の効果】
【０００８】
請求項１に記載の発明によれば、分散手段によって各発煙剤体が発射直後に発射方向との交差方向へ確実に分散する。よって、煙幕展張までの発射距離を長く確保する必要がなく、発射から煙幕展張による遮蔽開始までに要する時間を大幅に短縮させることができる。
請求項２に記載の発明によれば、請求項１の効果に加えて、発煙剤体の形状の特定により、分散手段による分散力が好適に伝わり、発煙剤体の効果的な分散が期待できる。
請求項３に記載の発明によれば、請求項１又は２の効果に加えて、バネ部材の採用により、分散手段を簡単な構成で得ることができる。
請求項４に記載の発明によれば、請求項３の効果に加えて、十字状の配設した一対のねじりバネによって分散力を各発煙剤体へ万遍なく伝えることができる。
請求項５に記載の発明によれば、請求項３又は４の効果に加えて、規制板の採用により、ケーシング内でのバネ部材の圧縮状態の規制と発射直後の規制解除とが確実に行える規制部材を得ることができる。
請求項６に記載の発明によれば、請求項１乃至５の何れかの効果に加えて、速燃薬の採用により、発射直後に分散する発煙剤体が迅速に発煙して煙幕展張の開始時間の一層の短縮が可能となる。
【発明を実施するための最良の形態】
【０００９】
以下、本発明の実施の形態を図面に基づいて説明する。
図１は、本発明の発煙弾の一例を示す中央縦断面図、図２はＡ−Ａ線断面図で、発煙弾１は、後述する発煙剤体を収容するケーシング２と、そのケーシング２の下方に連結される発射体３とからなる。発射体３は、中央に発射薬５を保持したベース部４と、ベース部４に外装されて外周にリング状の電極７，７を備えた絶縁部６とを有し、下方から両者を貫通する３本のボルト８，８・・によってケーシング２の底壁２ａに固着されている。発射薬５の上端は、ベース部４の上端に突設した筒部９と共に底壁２ａの中央に形成した透孔１０を介してケーシング２内に露出している。
【００１０】
一方、ケーシング２の上端は、４本のシアピン１１，１１・・によって装着される上蓋１２によって閉塞され、シアピン１１の下方側でケーシング２の外周には、キャップ１３が嵌着されている。このキャップ１３は、戦車等の戦闘車両に搭載された図示しない発射装置の筒体の上端に係止してケーシング２を筒体内の所定位置に保持させるものである。
また、ケーシング２内の底部には、ケーシング２に遊挿する短筒部１５を周設し、中央に透孔１６を設けた受圧板１４が設けられ、その受圧板１４の上方に、ケーシング軸線回りの環状空間を周方向に４等分する板状の発煙剤体１７，１８・・が多層状に収容されている。この発煙剤体は、上方１０層の発煙剤体１７，１７・・に用いられる発煙剤が速燃薬、下方１４層の発煙剤体１８，１８・・に用いられる発煙剤が緩燃薬となっており、発煙剤体１７，１８の周囲でケーシング２の内周との間には、筒体を周方向に３等分してなるガイド１９，１９・・が介在されている。
【００１１】
下方側の各発煙剤体１８には、中心側に円弧状の切欠部１８ａが形成されることで、中央に平面視で円形の貫通孔２０が形成される一方、上方側の各発煙剤体１７には、中心側に発煙剤体１８と同じ円弧状の切欠部２１と、その切欠部２１の中央から半径方向に連設される切込部２２とにより、中央に平面視で十字状となる貫通孔２３が形成されている。
こうして発煙剤体１７，１８の中央に形成される貫通孔２０，２３内に、分散手段を構成するバネ部材である第一、第二ねじりバネ２４，２５が収容されている。この第一、第二ねじりバネ２４，２５は、中央下方に下ねじり部２６を、その左右上方に上ねじり部２７，２７を夫々設けたＭ字状で、両者を平面視で十字状に交差させてケーシング２の放射方向へ復元力が生じるように外側の自由端２８，２８を中心側へ撓ませた状態で、下ねじり部２６が夫々発煙剤体１８の貫通孔２０に挿入され、上ねじり部２７，２７を含む左右の山形部分が発煙剤体１７の貫通孔２３の切込部２２に夫々収容されたものである。なお、ここでは第一ねじりバネ２４における上下ねじり部２６，２７の上下方向の間隔の方が、第二ねじりバネ２５における上下ねじり部２６，２７の上下方向の間隔よりも長くなっている。
【００１２】
但し、ケーシング２内で、発煙剤体１７，１７間の下方側と最上位置の発煙剤体１７の上方とには、発煙剤体１７と同じく周方向へ４等分される規制部材としての規制板２９，２９・・が４枚ずつが設けられている。この規制板２９にも、中心側に、発煙剤体１７と同じ円弧状の切欠部３０と、その切欠部３０の中央から半径方向に連設され、貫通孔２３の切込部２２よりも幅及び長さが短い切込である係止部３１とが夫々設けられて、中央に十字孔３２を形成している。よって、第一、第二ねじりバネ２４，２５は、自由端２８，２８が下側の規制板２９の係止部３１に係止し、上ねじり部２７，２７が上側の規制板２９の係止部３１に保持されることで、ケーシング２内での十字交差と放射方向での圧縮状態とが維持されることになる。
【００１３】
以上の如く構成された発煙弾１においては、戦闘車両に設けられた発射装置の筒体に収容されて、発射体３の電極７，７を介して内部の点火機構を作動させると、発射薬５に点火されて透孔１６や貫通孔２０を介して発煙剤体１７，１８に着火し、図３に示すように、シアピン１１を破断させて受圧板１４と共に受圧板１４より上方部分がケーシング２から飛び出す。このケーシング２からの突出と同時に、規制板２９による第一、第二ねじりバネ２４，２５の圧縮規制が解除されるため、圧縮状態の第一、第二ねじりバネ２４，２５が放射方向へ夫々広がる。よって、図４に示すように、発煙剤体１８，１８・・及び規制板２９，２９・・、ガイド１９．１９・・は、上方への飛行と共に第一、第二ねじりバネ２４，２５の復元力によって放射方向へも分散し、各発煙剤体１７，１８から放出される煙が直ちに拡散して煙幕が形成される。
【００１４】
このように、上記形態の発煙弾１によれば、発煙剤体１７，１７・・を、ケーシング２の軸線回りの環状空間を周方向に４分割する形状として層状に配置し、発煙剤体１７，１７・・におけるケーシング２の軸心側に、発射された各発煙剤体１７に発射方向と交差する方向への分散力を付与可能な分散手段としての第一、第二ねじりバネ２４，２５を設けたことで、発射直後に各発煙剤体１８が発射方向との交差方向へ確実に分散する。よって、煙幕展張までの発射距離を長く確保する必要がなく、発射から煙幕展張による遮蔽開始までに要する時間を大幅に短縮させることができる。
特に発煙剤体１７を、ケーシング２の軸線回りの環状空間を４分割して多層状に配置される板状体としたことで、第一、第二ねじりバネ２４，２５による分散力が好適に伝わり、発煙剤体１７の効果的な分散が期待できる。
【００１５】
また、分散手段を、ケーシング２の軸心に配置され、復元力によって外側の発煙剤体１７に分散力を付与可能な第一、第二ねじりバネ２４，２５と、その第一、第二ねじりバネ２４，２５をケーシング２内でのみ圧縮状態に規制する規制板２９とから形成したことで、簡単な構成で好適な分散手段が得られる。
特に、第一、第二ねじりバネ２４，２５を、屈曲位置にねじり部を夫々設けたＭ字状として、ケーシング２の軸心に十字状となるように配設したことで、分散力を各発煙剤体１７へ万遍なく伝えることができる。
【００１６】
さらに、規制部材を、上下の発煙剤体１７，１７間でケーシング２の軸線回りの環状空間を周方向に分割する形状で形成され、外周縁がケーシング２の内面側のガイド１９に当接する規制板２９として、各規制板２９におけるケーシング軸心側に、圧縮状態の第一、第二ねじりバネ２４，２５の自由端２８を係止する係止部３１を形成したことで、ケーシング２内での第一、第二ねじりバネ２４，２５の圧縮状態の規制と発射直後の規制解除とを確実に行うことができる。
そして、第一、第二ねじりバネ２４，２５の外側に位置する発煙剤体１７の発煙剤を速燃薬としたことで、発射直後に分散する発煙剤体１７が迅速に発煙して煙幕展張の開始時間の一層の短縮が可能となる。
【００１７】
なお、ねじりバネは、一対の十字状に配設するものに限らず、発煙剤体の形態によっては３以上のものを交差状に配設することもできる、また、Ｍ字状に限らず、Ｗ字状としたり、発煙剤体の全ての内縁に当接する自由端を上下方向に延設したりしてもよい。また、ねじりバネが複数の場合は同じ形状の組み合わせにする必要はなく、例えばＭ字とＷ字との組み合わせとしても差し支えない。
さらに、バネ部材としてはねじりバネ以外に、コイルバネをケーシング軸心で平面視が十字状等となるように向きを変えて複数配置することで、外側の発煙剤体に分散力を付与することもできる。よって、発煙剤体の中央に形成される貫通孔も、バネ部材の形態に合わせて円形等に適宜変更すればよい。
【００１８】
一方、発煙剤体も上記形態に限らず、４等分より多く周方向に分割してもよいし、逆に３分割以下としてもよい。厚みも適宜変更可能である。これらは規制板についても同様である。
但し、規制部材としては上記規制板の形状に限定するものではなく、線状体で形成したり、ねじりバネ等のバネ部材の端部を伸ばして直接ケーシングやガイドの内面に当接させてバネ部材と一体化したり等の設計変更も可能である。
【００１９】
そして、分散手段としては、上記バネ部材による以外に、例えば、ケーシング内の軸心に、外側の発煙剤体に爆発力によって分散力を付与可能な爆発体（火薬等）と、その爆発体の爆発を遅延させる保護部材とを配設したものとし、発射直後に遅延して爆発した爆発体によって発煙剤体の分散を図る構成も考えられる。
その他、受圧板やガイドは省略することもできる。また、発煙剤体でのバネ部材の圧縮規制が可能であれば、規制部材の省略も可能である。
【図面の簡単な説明】
【００２０】
【図１】発煙弾の中央縦断面図である。
【図２】Ａ−Ａ線断面図である（ケーシングは省略）。
【図３】発射直後の状態を示す説明図である。
【図４】発煙剤体の分散状態を示す説明図である。
【符号の説明】
【００２１】
１・・発煙弾、２・・ケーシング、３・・発射体、５・・発射薬、１２・・上蓋、１４・・受圧板、１７，１８・・発煙剤体、１９・・ガイド、２０，２３・・貫通孔、２４・・第一ねじりバネ、２５・・第二ねじりバネ、２９・・規制板、３１・・係止部。
【図１】
2007205587.tif 000003
【図２】
2007205587.tif 000004
【図３】
2007205587.tif 000005
【図４】
2007205587.tif 000006